(57)【要約】【課題】接続される外部機器に応じた制御モードの設定操作の操作性を向上する。【解決手段】。【効果】例えばダイヤル１１により、操作自体は、再生モードとプリントモードとが共通、撮影モードとＰＣモードとが共通とし、ＵＳＢ等のインターフェース部の非接続状態ではそれぞれ前者に設定し、接続状態ではそれぞれ後者に設定することとした。【選択図】図２
2005286731.tif 000002
【特許請求の範囲】
【請求項１】
撮像素子と、
画像ファイルを記録する記録部と、
外部機器と通信を行うためのインターフェース部と、
前記撮像素子から出力された画像信号を、画像ファイルとして前記記録部に記録する撮影モードと、
前記記録部に記録された画像ファイルを読み出す再生モードと、
前記画像ファイルを前記記録部から読み出し、前記インターフェース部を介して接続されるプリンタに提供するプリントモードと、
前記再生モードを設定しているとき、前記インターフェース部が接続状態となると、前記プリントモードを設定して制御する制御部とを備えることを特徴とする撮像装置。
【請求項２】
前記制御部は、前記プリントモードを設定しているとき、前記インターフェース部が非接続状態となると、前記再生モードを設定して制御することを特徴とする請求項１に記載の撮像装置。
【請求項３】
前記インターフェース部を介してプリンタ以外の外部コンピュータと通信する通信モードを有し、
前記制御部は、前記撮影モードを設定しているとき、前記インターフェース部が接続状態となると前記通信モードを設定して制御し、前記通信モードを設定しているとき、前記インターフェース部が非接続状態となると前記撮影モードを設定して制御することを特徴とする請求項１又は２に記載の撮像装置。
【請求項４】
撮像素子と、
画像ファイルを記録する記録部と、
外部機器と通信を行うためのインターフェース部と、
前記撮像素子、前記記録部及び前記インターフェース部を制御する制御部と、
ユーザからの命令を前記制御部に指示する操作部とを備え、
前記制御部は、前記撮像素子から出力された画像信号を、画像ファイルとして前記記録部に記録する撮影モードと、
前記記録部に記録された画像ファイルを読出す再生モードと、
前記操作部が指示したユーザからのプリント命令に係る画像ファイルを前記記録部から読出し、前記インターフェース部を介して接続されるプリンタに提供するプリントモードとを有し、
前記操作部は、前記再生モードの設定と前記プリントモードの設定とが共通の操作（以下「第一共通操作」という。）であり、第一共通操作が行われたとき前記再生モード又は前記プリントモードを設定すべき旨を指示し、
前記制御部は、第一共通操作に基づく前記指示に従い、前記インターフェース部の非接続時に前記再生モードを設定して制御し、前記インターフェース部の接続時に前記プリントモードを設定して制御することを特徴とする撮像装置。
【請求項５】
前記制御部は、前記再生モードを設定しているとき、前記インターフェース部が接続状態となると前記プリントモードを設定して制御することを特徴とする請求項４に記載の撮像装置。
【請求項６】
前記制御部は、前記プリントモードを設定しているとき、前記インターフェース部が非接続状態となると、前記再生モードを設定して制御することを特徴とする請求項４又は請求項５に記載の撮像装置。
【請求項７】
前記操作部は第一共通操作が１操作で行えるように構成されてなることを特徴とする請求項４、請求項５又は請求項６に記載の撮像装置。
【請求項８】
前記制御部は前記インターフェース部を介してプリンタ以外の外部コンピュータと通信する通信モードを有し、
前記操作部は、前記撮影モードの設定と前記通信モードの設定とが共通の操作（以下「第二共通操作」という。）であり、第二共通操作が行われたとき前記撮影モード又は前記通信モードを設定すべき旨を指示し、
前記制御部は、第二共通操作に基づく前記指示に従い、前記インターフェース部の非接続時に前記撮影モードを設定して制御し、前記インターフェース部の接続時に前記通信モードを設定して制御することを特徴とする請求項４から請求項７のうちいずれか一に記載の撮像装置。
【請求項９】
前記制御部は、前記撮影モードを設定しているとき、前記インターフェース部が接続状態となると前記通信モードを設定して制御し、前記通信モードを設定しているとき、前記インターフェース部が非接続状態となると前記撮影モードを設定して制御することを特徴とする請求項８に記載の撮像装置。
【請求項１０】
前記操作部は第二共通操作が１操作で行えるように構成されてなることを特徴とする請求項８又は請求項９に記載の撮像装置。
【請求項１１】
前記操作部は第一共通操作及び第二共通操作が各１操作で二者択一に行え、かつ、一方が選択されると他方が選択されるまでその選択が保持されるように構成されてなることを特徴とする請求項８又は請求項９に記載の撮像装置。
【請求項１２】
前記通信モードにおいては前記外部コンピュータのストレージデバイスとして機能することを特徴とする請求項３又は請求項８から請求項１１のうちいずれか一に記載の撮像装置。
【発明の詳細な説明】
【技術分野】
【０００１】
本発明は撮像装置に関する。
【背景技術】
【０００２】
一般に、パソコンとデジタルカメラ等の撮像装置とがＵＳＢなどのインターフェースを用いて接続されると、撮像装置は通信モードにセットされ、パソコンに対しストレージデバイスとして機能する。この状態の時、パソコン側から撮像装置内に記録されている画像ファイルに対し、削除や複写などが行えるので、ユーザはファイル管理を容易に行える。
【０００３】
近年、上記パソコンへの接続機能に加え、撮像装置で撮影された画像データを、パソコンを介さずにＵＳＢなどのインターフェースを用いて直接接続されたプリンタに対して出力し、印刷が行える機能を兼ね備えた撮像装置が登場した（例えば、特許文献１，２）。
【特許文献１】特開２００４−００９３８９号公報
【特許文献２】特開２００２−１９０９８２号公報
【発明の開示】
【発明が解決しようとする課題】
【０００４】
しかし、現在の市場において、上記両機能を備えた撮像装置の多くは、パソコンとの接続及びプリンタとの接続をともにＵＳＢで行っており、かつ、ＵＳＢポートを１つしか備えていない。
そのうち多くは、パソコンと接続する場合は、液晶画面を全面又はモード表示等の一部を除いた大部分において消し、操作部の機能を停止するモードに移行する仕様となっており、プリンタと接続する場合は、液晶画面及び操作部を稼働して、プリント対象の画像選択などユーザからの指示を受け付けることができるモードに移行する仕様となっている。
さらに、そのうち多くは、携帯機器の例に漏れず小型化、表示画面大型化、多機能化等の末、画面表示されたメニューを参照しつつ少ないスイッチ類を何度も操作して各種設定を行うように構成されている。
【０００５】
以上のような撮像装置をスレーブとしてホストたる外部機器とＵＳＢ接続する場合、撮像装置は相手機器がパソコンなのかプリンタなのかを自ら判別することができないため、上記両モードのいずれに移行するかは、ユーザの操作入力により判別していた。
したがって、外部機器との接続時、ユーザの操作入力を煩雑にさせ、便宜が悪いという問題が生じている。
【０００６】
本発明は以上の従来技術における問題に鑑みてなされたものであって、撮像装置において、接続される外部機器に応じた制御モードの設定操作の操作性を向上することを課題とする。
【課題を解決するための手段】
【０００７】
以上の課題を解決するための請求項１記載の発明は、撮像素子と、
画像ファイルを記録する記録部と、
外部機器と通信を行うためのインターフェース部と、
前記撮像素子から出力された画像信号を、画像ファイルとして前記記録部に記録する撮影モードと、
前記記録部に記録された画像ファイルを読み出す再生モードと、
前記画像ファイルを前記記録部から読み出し、前記インターフェース部を介して接続されるプリンタに提供するプリントモードと、
前記再生モードを設定しているとき、前記インターフェース部が接続状態となると、前記プリントモードを設定して制御する制御部とを備えることを特徴とする撮像装置である。
【０００８】
したがって請求項１記載の発明によれば、前記インターフェース部の非接続時に再生モードが設定されている時、ユーザはインターフェース部を接続状態とすれば、他の操作をすることなくプリントモードに設定できるので、プリントモードの設定操作が不要となり操作性が向上する。
プリントモードを設定しているときにインターフェース部が非接続状態となった場合には、再生モードのほか、電源オフモード、低消費電力モード、エラー表示などに移行する制御内容とすることができる。
【０００９】
請求項２記載の発明は、前記制御部は、前記プリントモードを設定しているとき、前記インターフェース部が非接続状態となると、前記再生モードを設定して制御することを特徴とする請求項１に記載の撮像装置である。
【００１０】
したがって請求項２記載の発明によれば、前記インターフェース部の接続時にプリントモードが設定されている時、ユーザはインターフェース部を非接続状態とすれば、他の操作をすることなく再生モードに設定できるので、再生モードの設定操作が不要となり操作が簡素化する。
【００１１】
請求項３記載の発明は、前記インターフェース部を介してプリンタ以外の外部コンピュータと通信する通信モードを有し、
前記制御部は、前記撮影モードを設定しているとき、前記インターフェース部が接続状態となると前記通信モードを設定して制御し、前記通信モードを設定しているとき、前記インターフェース部が非接続状態となると前記撮影モードを設定して制御することを特徴とする請求項１又は２に記載の撮像装置である。
【００１２】
したがって請求項３記載の発明によれば、前記インターフェース部の非接続時に撮影モードが設定されている時、ユーザはインターフェース部を接続状態とすれば、他の操作をすることなく通信モードに設定できるので、通信モードの設定操作が不要となり操作性が向上する。
また、前記インターフェース部の接続時に通信モードが設定されている時、ユーザはインターフェース部を非接続状態とすれば、他の操作をすることなく撮影モードに設定できるので、撮影モードの設定操作が不要となり操作が簡素化する。
【００１３】
請求項４記載の発明は、撮像素子と、
画像ファイルを記録する記録部と、
外部機器と通信を行うためのインターフェース部と、
前記撮像素子、前記記録部及び前記インターフェース部を制御する制御部と、
ユーザからの命令を前記制御部に指示する操作部とを備え、
前記制御部は、前記撮像素子から出力された画像信号を、画像ファイルとして前記記録部に記録する撮影モードと、
前記記録部に記録された画像ファイルを読出す再生モードと、
前記操作部が指示したユーザからのプリント命令に係る画像ファイルを前記記録部から読出し、前記インターフェース部を介して接続されるプリンタに提供するプリントモードとを有し、
前記操作部は、前記再生モードの設定と前記プリントモードの設定とが共通の操作（以下「第一共通操作」という。）であり、第一共通操作が行われたとき前記再生モード又は前記プリントモードを設定すべき旨を指示し、
前記制御部は、第一共通操作に基づく前記指示に従い、前記インターフェース部の非接続時に前記再生モードを設定して制御し、前記インターフェース部の接続時に前記プリントモードを設定して制御することを特徴とする撮像装置である。
【００１４】
したがって請求項４記載の発明によれば、プリントモードの設定操作は、使用頻度の高い撮影モードの設定操作と再生モードの設定操作のうち、再生モードの設定操作と共通であるので、初心者でも早期に容易に使いこなせるようになり操作性が向上する。プリントモード独自の設定操作を要さず操作性が良好となるとともに、操作部の簡素化を妨げない。
また、再生モードとプリントモードとは、記録部から画像ファイルを読み出す点で共通するから、プリントモードの設定操作と再生モードの設定操作とを共通にすると、ユーザにとって操作が覚えやすくなり、初心者でも早期に容易に使いこなせるようになって操作性が向上する。
多くの場合、撮影モードの設定と再生モードの設定との切替操作は、撮像装置外面に付設されたダイヤル式、スライド式、ボタン式等のスイッチにより１操作でできるように構成されるから、これに伴い、プリントモードの設定操作も簡素化し操作性が向上する。
【００１５】
請求項５記載の発明は、前記制御部は、前記再生モードを設定しているとき、前記インターフェース部が接続状態となると前記プリントモードを設定して制御することを特徴とする請求項４に記載の撮像装置である。
【００１６】
したがって請求項５記載の発明によれば、前記インターフェース部の非接続時に再生モードが設定されている時、ユーザはインターフェース部を接続状態とすれば、他の操作をすることなくプリントモードに設定できるので、プリントモードの設定操作（すなわち、第一共通操作の再操作）が不要となり操作性が向上する。
プリントモードを設定しているときにインターフェース部が非接続状態となった場合には、再生モードのほか、電源オフモード、低消費電力モード、エラー表示などに移行する制御内容とすることができる。
【００１７】
請求項６記載の発明は、前記制御部は、前記プリントモードを設定しているとき、前記インターフェース部が非接続状態となると、前記再生モードを設定して制御することを特徴とする請求項４又は請求項５に記載の撮像装置である。
【００１８】
したがって請求項６記載の発明によれば、前記インターフェース部の接続時にプリントモードが設定されている時、ユーザはインターフェース部を非接続状態とすれば、他の操作をすることなく再生モードに設定できるので、再生モードの設定操作（すなわち、第一共通操作の再操作）が不要となり操作が簡素化する。
【００１９】
請求項７記載の発明は、前記操作部は第一共通操作が１操作で行えるように構成されてなることを特徴とする請求項４、請求項５又は請求項６に記載の撮像装置である。
【００２０】
したがって請求項７記載の発明によれば、再生モードの設定操作もプリントモードの設定操作も１操作となり操作性が向上する。
【００２１】
請求項８記載の発明は、前記制御部は前記インターフェース部を介してプリンタ以外の外部コンピュータと通信する通信モードを有し、
前記操作部は、前記撮影モードの設定と前記通信モードの設定とが共通の操作（以下「第二共通操作」という。）であり、第二共通操作が行われたとき前記撮影モード又は前記通信モードを設定すべき旨を指示し、
前記制御部は、第二共通操作に基づく前記指示に従い、前記インターフェース部の非接続時に前記撮影モードを設定して制御し、前記インターフェース部の接続時に前記通信モードを設定して制御することを特徴とする請求項４から請求項７のうちいずれか一に記載の撮像装置である。
【００２２】
したがって請求項８記載の発明によれば、通信モードの設定操作は使用頻度の高い撮影モードの設定操作と共通で、プリントモードの設定操作は使用頻度の高い再生モードの設定操作と共通であるので、初心者でも早期に容易に使いこなせるようになり操作性が向上する。通信モード独自の設定操作、プリントモード独自の設定操作を要さず操作性が良好となるとともに、操作部の簡素化を妨げない。
多くの場合、撮影モードの設定と再生モードの設定との切替操作は、撮像装置外面に付設されたダイヤル式、スライド式、ボタン式等のスイッチにより１操作でできるように構成されるから、これに伴い、通信モード及びプリントモードの設定操作も簡素化し操作性が向上する。
【００２３】
請求項９記載の発明は、前記制御部は、前記撮影モードを設定しているとき、前記インターフェース部が接続状態となると前記通信モードを設定して制御し、前記通信モードを設定しているとき、前記インターフェース部が非接続状態となると前記撮影モードを設定して制御することを特徴とする請求項８に記載の撮像装置である。
【００２４】
したがって請求項９記載の発明によれば、前記インターフェース部の非接続時に撮影モードが設定されている時、ユーザはインターフェース部を接続状態とすれば、他の操作をすることなく通信モードに設定できるので、通信モードの設定操作（すなわち、第二共通操作の再操作）が不要となり操作性が向上する。
また、前記インターフェース部の接続時に通信モードが設定されている時、ユーザはインターフェース部を非接続状態とすれば、他の操作をすることなく撮影モードに設定できるので、撮影モードの設定操作（すなわち、第二共通操作の再操作）が不要となり操作が簡素化する。
【００２５】
請求項１０記載の発明は、前記操作部は第二共通操作が１操作で行えるように構成されてなることを特徴とする請求項８又は請求項９に記載の撮像装置である。
【００２６】
したがって請求項１０記載の発明によれば、撮影モードの設定操作も通信モードの設定操作も１操作となり操作性が向上する。
【００２７】
請求項１１載の発明は、前記操作部は第一共通操作及び第二共通操作が各１操作で二者択一に行え、かつ、一方が選択されると他方が選択されるまでその選択が保持されるように構成されてなることを特徴とする請求項８又は請求項９に記載の撮像装置である。
【００２８】
したがって請求項１１記載の発明によれば、再生モードの設定操作もプリントモードの設定操作も１操作となり操作性が向上する。
また、撮影モードの設定操作も通信モードの設定操作も１操作となり操作性が向上する。
さらに、第一共通操作及び第二共通操作が二者択一に行えるので、両者が抵触し、制御部が混乱を来たすことが無い。
また、第一共通操作及び第二共通操作のうち一方が選択されると他方が選択されるまでその選択は保持されるから、電源投入時、電源オフ後再投入投入時、インターフェース部の接続と非接続とを相互に切替えた時などに、制御部はユーザに対してモード選択を再度問い合わせることなく、ユーザは変更無い限りモード設定操作を再操作することなく、制御モードを設定することができる。
本発明を実現する操作部のスイッチ構成としては、ダイヤル機構、スライド機構、シーソー機構等を用いた機械式スイッチ、上記選択を不揮発性メモリに保持し選択状態を画面に表示するソフトウエアスイッチ等が挙げられる。機械式スイッチであればオフ時でも選択状態がユーザにとってわかるので良い。
【００２９】
請求項１２記載の発明は、前記通信モードにおいては前記外部コンピュータのストレージデバイスとして機能することを特徴とする請求項３又は請求項８から請求項１１のうちいずれか一に記載の撮像装置である。
【００３０】
したがって請求項１０記載の発明によれば、通信モードにおいては外部コンピュータのストレージデバイス、すなわち、データ貯蔵装置として外部コンピュータに従事することができ、しかもリムーバルであり、外部コンピュータへの従事から解除して使用することができる。
【発明の効果】
【００３１】
上述したように本発明によれば、撮像装置において、接続される外部機器に応じた制御モードの設定操作の操作性が向上するという効果がある。
【発明を実施するための最良の形態】
【００３２】
以下に本発明の一実施の形態につき図面を参照して説明する。以下は本発明の一実施形態であって本発明を限定するものではない。
【００３３】
図１に本発明一実施形態の撮像装置の主要部ブロック図を示す。
図１に示すように、本実施形態の撮像装置は、ＣＣＤ撮像素子１と、記録部２と、画像表示部３と、外部インターフェース４と、ＣＰＵ５と、操作部６とを備える。
【００３４】
ＣＣＤ撮像素子１は、レンズを介して受光した光を光電変換し、画像信号として出力する。
記録部２は、ＩＣメモリカード等の記録媒体に画像ファイル等のデータを書き込む。
画像表示部３は、液晶表示装置等が適用され、各種操作を補助するメニューを表示したり、撮影モード時に撮影範囲をモニタしたり、再生モード時に記録された画像ファイルの画像や撮影日時等の情報を表示したりする。
外部インターフェース４は、ＵＳＢインターフェース部などの有線通信を行うためのケーブル接続部、又は、無線ＬＡＮやブルートゥスなどの規格化された送受信機能を有する無線通信モデム若しくはその装着部であり、パーソナルコンピュータ（以下「ＰＣ」という）及びプリンタにそれぞれ有線又は無線接続し、これらの外部機器と通信を行うためのものである。
ＣＰＵ５は、ＣＣＤ撮像素子１、記録部２、画像表示部３及び外部インターフェース４を制御する制御部である。
操作部６は、レリーズボタン、ズームキー、モード切替スイッチ、メニューキー等の操作キーを有したものであり、ユーザに操作させることによりユーザからの命令をＣＰＵ５に指示する。
【００３５】
また、ＣＰＵ５は次の４つの制御モードで各部を制御する。
（１）ＣＣＤ撮像素子１から出力された画像信号を、画像ファイルとして記録部２に記録    する撮影モード。
（２）記録部２に記録された画像ファイルを読出す再生モード。本実施形態における再生    モードでは、読み出した画像ファイルの画像を画像表示部３に表示する。他の再生モ    ードとしては、記録部２に記録された画像ファイルを読出し、ユーザからの指示を待    ちユーザからの指示に従って画像ファイルに対して可能な処理をするモードが挙げら    れる。この可能な処理としては、画像表示部３への表示、ＡＶケーブルを介して接続    された外部モニタへの画像出力や、複製をつくるためなどの記録部２への再書込みな    どが挙げられる。
（３）操作部６が指示したユーザからのプリント命令に係る画像ファイルを記録部２から    読出し、外部インターフェース４を介して接続されるプリンタに提供するプリントモ    ード。
（４）外部インターフェース４を介してＰＣと通信しＰＣのストレージデバイスとして機    能する通信モード（以下「ＰＣモード」という。）。
【００３６】
図２に、本実施形態における操作部６に含まれるモード切替スイッチの一構成例を示す。
図２に示すように、モード切替スイッチは、装置本体１０に付設されたダイヤル１１と図示しないスイッチ素子で構成され、１操作で制御モードを切替える。
ダイヤル１１の側面には、指針１２が一体的に形成されている。
ダイヤル１１は回転可能で指針１２が装置本体１０表面の位置Ａを指すときと、位置Ｂを指すときときにそれぞれ安定的に止まる機構により保持されている。
装置本体１０表面の位置Ａには、撮影モード又は通信モードである旨が記され、装置本体１０表面の位置Ｂには、再生モード又はプリントモードである旨が記されている。したがって、モード表示を兼ねている。
【００３７】
なお、上記のようにモード切替スイッチを単一とせず、撮影モードを設定するスイッチと再生モードを設定するスイッチを、例えば、異なる押しボタン式スイッチなどの複数のスイッチにより構成してもよい。また、複数のスイッチとする場合、機械的に連動しない独立のスイッチとしてもよいが、その場合でも、撮影モードと再生モードとが二者択一的に有効となるようにスイッチ回路又はソフトウエアを構成することが好ましい。
また、モード切替スイッチを１操作で行えるダイレクトスイッチとせず、画像表示部３に表示される設定メニューを参照しながら数ステップの操作で設定を行うソフトウエアスイッチとしても良い。
【００３８】
次に、モード切替操作、モード設定及び外部接続の関係について場合を分けて説明する。
【００３９】
〔非接続時〕
外部インターフェース４の非接続時においては、次のように動作する。
図２（ａ）に示すように、ダイヤル１１の指針１２が位置Ｂを指している状態で電源が投入されると、ＣＰＵ５は操作部６が示す再生モード又はプリントモードを選択すべき旨のモード選択指示信号を参照し、外部インターフェース４が非接続状態であると判断して再生モードで制御する。
図２（ｂ）に示すように、ダイヤル１１の指針１２が位置Ａを指している状態で電源が投入されると、ＣＰＵ５は操作部６が示す撮影モード又はＰＣモードを選択すべき旨のモード選択指示信号を参照するとともに、外部インターフェース４が非接続状態であると判断して撮影モードで制御する。
稼働中随時、ダイヤル１１が操作され指針１２が位置Ｂを指せば、ＣＰＵ５は再生モードに切替えて制御し、指針１２が位置Ａを指せば、ＣＰＵ５は撮影モードに切替えて制御する。
【００４０】
〔接続時〕
外部インターフェース４の接続時においては、次のように動作する。
図２（ａ）に示すように、ダイヤル１１の指針１２が位置Ｂを指している状態で電源が投入されると、ＣＰＵ５は操作部６が示す再生モード又はプリントモードを選択すべき旨のモード選択指示信号を参照するとともに、外部インターフェース４が接続状態であると判断してプリントモードで制御する。
図２（ｂ）に示すように、ダイヤル１１の指針１２が位置Ａを指している状態で電源が投入されると、ＣＰＵ５は操作部６が示す撮影モード又はＰＣモードを選択すべき旨のモード選択指示信号を参照するとともに、外部インターフェース４が接続状態であると判断してＰＣモードで制御する。
稼働中随時、ダイヤル１１が操作され指針１２が位置Ｂを指せば、ＣＰＵ５はプリントモードに切替えて制御し、指針１２が位置Ａを指せば、ＣＰＵ５はＰＣモードに切替えて制御する。
【００４１】
〔非接続状態→接続状態〕
外部インターフェース４の非接続状態においてＣＰＵ５が再生モード又は撮影モードで制御している時に外部インターフェース４を接続状態とすると、次のように動作する。
図２（ａ）に示すように、ダイヤル１１の指針１２が位置Ｂを指しておりＣＰＵ５が再生モードで制御している時に外部インターフェース４が接続状態とされると、ＣＰＵ５は外部インターフェース４が接続状態であると判断してプリントモードに切替えて制御する。その後、外部インターフェース４が接続状態のままダイヤル１１が操作されたときは、上記接続時の動作の通りである。
図２（ｂ）に示すように、ダイヤル１１の指針１２が位置Ａを指しておりＣＰＵ５が撮影モードで制御している時に外部インターフェース４が接続状態とされると、ＣＰＵ５は外部インターフェース４が接続状態であると判断してＰＣモードに切替えて制御する。その後、外部インターフェース４が接続状態のままダイヤル１１が操作されたときは、上記接続時の動作の通りである。
【００４２】
なお、ＣＰＵ５は撮影モードからＰＣモードに切替える場合、外部インターフェースが接続状態であると判断した時に所定の処理を行ってからＰＣモードを開始してもよい。例えば、外部インターフェース４が接続状態であると判断した時に記録部２への画像記録が未完である場合にはこれを完了するなど撮影モードの必要な終了処理を行った後に、ＰＣモードを開始することが望ましい。これにより撮影された画像を失うなどの撮影モードにおける不都合を防止できる。
また、ＣＰＵ５は再生モードからプリントモードに切替える場合、外部インターフェース４が接続状態であると判断した時に所定の処理を行ってからプリントモードを開始してもよい。例えば、外部インターフェース４が接続状態であると判断した時に画像ファイルの読出が未完である場合にはこれを完了した後に、プリントモードを開始することが望ましい。これにより再生モード中に読出を開始した画像をプリントモードへ移行後に画像表示部３に表示するなどの効率的処理が行える。
【００４３】
〔接続状態→非接続状態〕
外部インターフェース４の接続状態においてＣＰＵ５がプリントモード又はＰＣモードで制御している時に外部インターフェース４を非接続状態とすると、次のように動作する。
図２（ａ）に示すように、ダイヤル１１の指針１２が位置Ｂを指しておりＣＰＵ５がプリントモードで制御している時に外部インターフェース４が非接続状態とされると、ＣＰＵ５は外部インターフェース４が非接続状態であると判断して再生モードに切替えて制御する。その後、外部インターフェース４が非接続状態のままダイヤル１１が操作されたときは、上記非接続時の動作の通りである。
図２（ｂ）に示すように、ダイヤル１１の指針１２が位置Ａを指しておりＣＰＵ５がＰＣモードで制御している時に外部インターフェース４が非接続状態とされると、ＣＰＵ５は外部インターフェース４が非接続状態であると判断して撮影モードに切替えて制御する。その後、外部インターフェース４が非接続状態のままダイヤル１１が操作されたときは、上記非接続時の動作の通りである。
【００４４】
なお、プリンタモード又はＰＣモードで制御している時に、外部インターフェース４を介して画像データの送信などの通信が行われている時は、画像表示部３などに通信状態であることを表示してもよい。これによりユーザが不用意にＵＳＢケーブルの離脱などの通信切断行為を行わないように警告することができる。
【００４５】
次に、稼動中の随時にＵＳＢケーブルをＵＳＢポートたる外部インターフェース４に差し込んだ際の制御フローにつき説明する。そのフローチャートを図２に示した。
【００４６】
ＣＰＵ５は、ＵＳＢケーブルがＵＳＢポートたる外部インターフェース４に差し込まれたことを検出すると（Ｓ１）。再生モードか否か判断する（Ｓ２）。再生モードであれば、ＣＰＵ５は制御モードをプリントモードに設定する（Ｓ３）。再生モードでなければ、ＣＰＵ５は制御モードをＰＣモードに設定する（Ｓ４）。
その後、周知のコントロールパイプ通信（Ｓ５）を経て、ＵＳＢケーブルが抜けるか電源が落とされるまで、相手方外部機器からコマンドを受信すればそれを実行する（Ｓ６〜Ｓ１２）。
なお、ステップＳ１にてＵＳＢケーブルがＵＳＢポートたる外部インターフェース４に差し込まれたとは、通信接続を意味し、単なる機械的接続を言わない。したがって、ＵＳＢコネクタが機械的に接続された後において、本機及び相手方機器の電源投入により通信接続が確立した場合もステップＳ１に含まれる。しかるに、無線通信においても通信接続が確立したときに、ステップＳ２において再生モードか否か判断するようにすればよい。
【００４７】
以上のように本実施形態では、ダイヤル１１により、操作自体は、再生モードとプリントモードとが共通、撮影モードとＰＣモードとが共通とし、ＵＳＢ等のインターフェース部の非接続状態、すなわち、オフラインではそれぞれ前者に設定し、ＵＳＢ等のインターフェース部の接続状態すなわちオンラインではそれぞれ後者に設定することとして、操作性を向上させた。
【００４８】
以上の実施形態においては、撮影モード、再生モード、プリントモード、ＰＣモードの４つを例に挙げたが、外部インターフェース４の非接続時の制御モードとして、撮影モード、再生モード以外の制御モードがある場合には、ステップＳ２のように再生モード以外と判断してＰＣモードに設定するとよい。これにより、オンライン時の制御モードが決定しないという不都合が生じない。
【００４９】
撮影モードとして、静止画撮影モードと動画撮影モードとが別々に設けられる場合でも、ともに撮影モードとして上記の通りに扱う。
再生モードとして、静止画再生モードと動画再生モードとが別々に設けられる場合でも、ともに再生モードとして上記の通りに扱う。
【００５０】
なお、本発明において再生モードの設定は実際に再生モードで稼働していることを要さず、電源オフ時に直前の制御モードとして再生モードをメモリしておくことも、本発明にいう再生モードを設定しているときに該当する。
したがって、上記実施形態のダイヤル式スイッチのようなＣＰＵ５へモードを指示する操作手段が無く、かつ、電源オフ時に直前の制御モードをメモリしておき、その後の電源オン時にメモリしておいた制御モードを復帰する撮像装置においても本発明を以下のように実施することができる。
すなわち、再生モードで稼働中に電源オフとなり電源オフ処理として再生モードをメモリに設定し、この電源オフ中にケーブルが接続されるなど通信環境が整い、次の電源オンと同時に通信接続が確立した場合（有線でも無線でも問わない）、メモリに再生モードが設定されているからプリントモードで起動するように構成することが好ましい。
通信接続の確立又はその検知が電源オンより遅れた場合は、再生モードで起動し、通信接続の確立が検知されたときにプリントモードに移行すればよいことはいうまでも無い。
撮影モード、プリントモード、通信モードのメモリ設定についても以上の再生モードのメモリ設定と同様に扱うことができることも言うまでも無い。
【図面の簡単な説明】
【００５１】
【図１】本発明一実施形態の撮像装置の主要部ブロック図である。
【図２】本発明一実施形態におけるモード切替スイッチの一構成例を示す撮像装置部分外観図である。
【図３】本発明一実施形態においてＵＳＢ接続した際のフローチャートである。
【図１】
2005286731.tif 000003
【図２】
2005286731.tif 000004
【図３】
2005286731.tif 000005